(57)【特許請求の範囲】
【請求項１】
部屋壁面の内側に設けられ、前記壁面に空けられた開口から空気を通気する通気口を備えた箱型の装置本体と、前記装置本体内に収納されたファンケーシングと、前記部屋壁面の室内側から前記開口を覆うように設けられ、前記装置本体の係合受部に脱着可能に取付けられる脱着装置を備えた化粧カバーとからなる埋込み型空調器において、
前記脱着装置は弾性変形可能な線材の中央付近で屈曲ないし巻き回され、前記化粧カバーの取付部を支持する支持部と、前記支持部から両端に延びて前記装置本体の一対の係合受部に脱着可能に係合する脚部とからなり、
前記装置本体の一対の係合受部は前記吸気口の周辺に設けられ、前記脱着装置の一対の脚部のそれぞれを通す係止部と、前記係止部を通ったそれぞれの脚部の端部を収容する収容部とからなり、前記収容部は前記ファンケーシングに設けられた端子ボックスと前記装置本体の内壁により構成され、前記いずれかの係合受部の係止部と前記収容部との間に前記脚部の先端部を誘導するガイドが設けられていることを特徴とする埋め込み型空調機。
【請求項２】
前記ガイド部は、前記係合受部の系止部と前記収容部との間に不連続に設けられていることを特徴とする請求項１に記載の埋込み形空調機。
【請求項３】
前記脚部の先端は前記係止部に引っ掛け可能な曲部または鉤部からなることを特徴とする請求項１または２のいずれかに記載の埋込み形空調機。
【発明の詳細な説明】
【技術分野】
【０００１】
本発明は、室内空気の入れ替えに用いられる埋め込み型空調機に関する。
【背景技術】
【０００２】
埋め込み型空調機は、例えば天井裏等にその本体を設置し、この本体の一方をダクトと接続し、他方に天井に開けられた穴を隠すため化粧カバー（本体カバー）を室内側から取り付けている。
【０００３】
この化粧カバーの取り付けには設置される異なった客先の天井の壁厚さに対応出来るよう脚の長いＶ字状のバネ部材（トーションバネ等）の脚部を本体の係合受け部（バネ挿入部）に挿入する手段を用いている（特許文献１）
【先行技術文献】
【特許文献】
【０００４】
【特許文献１】特開２００９-２３６３９５
【発明の概要】
【発明が解決しようとする課題】
【０００５】
埋め込み型空調機に化粧カバーを取り付ける際、客先の天井の壁厚さに比べトーションバネの足が長すぎる場合、本体の係合受け部に前記トーションバネの足を収容する収容部の確保が必要となる。この収容部に前記トーションバネの足を納めきるには、足の先端部を確実に収容部の入り口に持っていく必要がある。その際、この入り口に至るまでに、障害物が存在すると障害物に影響されトーションバネの足を納められなくなり、その結果、化粧カバーの取り付けが困難となる。
【０００６】
この発明は上記のような課題を解決し、トーションバネの脚の先端部を確実に収容部の入り口に持っていくことで化粧カバーの取り付けができる埋め込み型空調器を得ることを目的とする。
【課題を解決するための手段】
【０００７】
本発明の埋め込み形空調機は、部屋壁面の内側に設けられ、前記壁面に空けられた開口から空気を通気する通気口を備えた箱型の装置本体と、前記装置本体内に収納されたファンケーシングと、前記部屋壁面の室内側から前記開口を覆うように設けられ、前記装置本体の係合受部に脱着可能に取付けられる脱着装置を備えた化粧カバーとからなる埋込み型空調器において、前記脱着装置は弾性変形可能な線材の中央付近で屈曲ないし巻き回され、前記化粧カバーの取付部を支持する支持部と、前記支持部から両端に延びて前記装置本体の一対の係合受部に脱着可能に係合する脚部とからなり、前記装置本体の一対の係合受部は前記吸気口の周辺に設けられ、前記脱着装置の一対の脚部のそれぞれを通す係止部と、前記係止部を通ったそれぞれの脚部の端部を収容する収容部とからなり、前記収容部は前記ファンケーシングに設けられた端子ボックスと前記装置本体の内壁により構成され、
前記いずれかの係合受部の係止部と前記収容部との間に前記脚部の先端部を誘導するガイドが設けられていることを特徴とするものである。
【発明の効果】
【０００８】
上記のように構成された埋込み型空調器は、本体の係合受部と係合可能に弾性変形する線材からなる脱着装置を有する化粧カバーと、前記線材の両端を装置本体の係部から吸気口の周辺に設けられた収容部に向けて誘導するガイド部を設けたので、脱着装置の各脚部の端部を対応する各係部に押し込むだけで、その脚部の端部を確実に収容部まで誘導でき、確実に化粧パネルを本体に固定できる。
【図面の簡単な説明】
【０００９】
【図１】本発明の実施の形態１及び２に係る埋め込み型空調機の設置状態断面図
【図２】化粧カバー取付用バネの取付部を示す斜視図
【図３】化粧カバー取付用バネの挿入方向説明図
【図４】ガイドを備えた場合の化粧カバー取付用バネの内部図
【図５】ガイドを備えない場合の化粧カバー取付用バネの内部図
【図６】化粧カバー本体に取付ける際の化粧カバー取付用バネの軌跡図
【図７】端子カバー開時の斜視図
【発明を実施するための形態】
【００１０】
実施の形態１
以下、本発明の実施の形態１について図面を参照して説明する。図１はこの発明の実施の形態１の埋め込み型空調機の設置状態断面図、図２は化粧カバー取付用バネの取付部を示す斜視図、図３は化粧カバー取付用バネの挿入方向説明図、図４はガイドを備えた場合の化粧カバー取付用バネの内部図、図５はガイドを備えない場合の化粧カバー取付用バネの内部図、図６は化粧カバー本体に取付ける際の化粧カバー取付用バネの軌跡図である。
なお、図中の同一符号は、同一または相当部分を示している。
【００１１】
図１に示すように、本発明の埋め込み型空調機は、本体の大半が天井裏空間に臨むように建物に取付けられ、吸込んだ室内空気をダクト１により室外へ排気するものである。埋込み型空調機の本体２は、箱型のボディ３と、このボディ３内に組付けられた送風機４と、ボディ３の一側の排気口に脱着可能に装着されるダクト接続枠と、ボディ３の開口部に天井面（壁面の外側）に沿って装着される化粧カバー５とから構成されている。また、化粧カバー５には後述詳細に説明する装着装置６によって、空調機の本体２に接続される。送風機４は、ボディ３の下面の吸気口から排気口に向かう排気流を生み出すものである。ボディ３の内側には、樹脂製の外枠７ａを有するファンケーシング７が設けられ、風路７ｂを形成している。外枠ａはボディ３にねじ止めされることでファンケーシング７を固定している。また、外枠７aには、端子ボックス８、係合受部９、ガイド１０等が設けられている。
【００１２】
図２に示すように、装着装置６は、弾性変形可能な線材の中央付近で巻き回され、化粧カバー５の取付部１１を支持する支持部１２が設けられ、その両端から脚部１３が延びている。いわゆるトーションバネ状をしている。また、必要に応じて装着装置６の脚部１３の先端部には、ひっかけることができる曲部ないし鉤部からなる端部１４（図６記載）が設けられ、後述詳細に説明する係合受部９の橋型の係止部１５に着脱可能に係合し易くしている。なお、前記支持部１２は必ずしも巻き回されていなくても良く、例えば屈曲等であって、化粧カバー５の取付部１１を支持ないし把持できる形状であればよい。
【００１３】
化粧カバー５の化粧面に対する裏面側の外周端部には、橋型の取付部１１が設けられ、この取付部１１に装着装置６の支持部１２が巻き回されて取り付けられている。なお、この取付部１１は、化粧カバー５の外周端部に対向関係の位置に２箇所以上設けても良く、それぞれに装着装置６を備えることから、天井等に空けられた開口を取り囲む壁面に沿って化粧パネルを取り付けられるという効果を有している。
【００１４】
図４に示すように、ファンケーシング７の外枠７ａには、装着装置６の各脚部１３が挿入される一対の係合受部９が設けられている。各係合受部９には脚部１３を通し係止する橋型の係止部１５（前記係止部１５は必ずしも橋型である必要はなく、装着装置６の各脚部１３が係止できる鉤型等であっても良い。）と脚部１３の先端が収容される収容部１６が備わっている。この収容部１６の１つには、後述詳細に説明する端子ボックス８とボディ３の内壁との間に設けられている。また、この係合受部９の係止部１５と端子ボックス８との間には、前記収容部１６の入り口１７に案内するガイド１０が設けられている。なお、前記ガイド１０は図３のようにバネ係止部１５から収納部まで一直線状に配置してもいいが、図５のように途中で屈曲を持たせる形状でもよい。さらに、前記化粧カバー装着用バネの端部１４の形状に応じて端部１４が引っかからない範囲でガイド１０に切れ目又は隙間を持たせてもよい。
【００１５】
ファンケーシング７のコーナの一つに設けられた端子ボックス８には、送風機４に入力する外部電源電線９を接続するための速結端子を持つ接続ターミナル１８がその内部に配置されている。端子ボックス８は保護枠１９と、この保護枠１９を密閉する開閉可能な端子カバー２０から構成されている。これにより、高湿度雰囲気下でも保護枠１９内の接続ターミナル１８は送風機４の吸込み側とは隔離され、湿気から保護される。
【００１６】
従来の埋め込み型空調機の障害物であった保護枠１９、端子カバー２０からなる端子ボックス８は、収容部１６の入り口１７に案内するガイド１０を設けたことで、装着装置６の脚部を係合受部９に挿入する際の障害物にならなくなる。以下、その様子を具体的に説明する。
【００１７】
このように構成された換気扇１００は次のようにして化粧カバー５の取り付けを行う。作業者の手によって、化粧カバー装着用バネの両端部同士を近づく方向に変形させ、ファンケーシング７のバネ系止部２６に前記バネの端部１４をそれぞれ引っ掛け、次に手を離す。すると前記バネの復元力により化粧カバー５は空調機の本体２に引き寄せられる方向に力が加わる。そして化粧カバー５を表面から人の手によって押し上げると、前記バネは図６のように移動していく。そして図５のように前記バネの脚部が前記バネ係止部１５に引っかかった状態で、前記バネの端部１４がガイド１０に沿って収容部１６に導かれ、確実に収容部１６に収まる。
【００１８】
なお、前記バネの移動過程において、移動通路上にねじ等が備え付けられており、それに接触し進行方向が変わった場合でも、前記ガイド１０により進行方向が修正され、前記バネは収容部１６に確実に収納される。さらに、天井壁厚さが異なることで化粧カバー取付用バネの端部１４の位置が多少前後してもガイド１０をバネ系止部から、収容部１６まで連続して設けていることで、天井壁厚さに柔軟に対応可能としている。
【００１９】
実施の形態２
以下本願発明の実施の形態２について説明する。実施の形態２は前記ガイド１０を、工場のラインにおける組立て効率の改善に適用したものである。なお換気扇の構成部分のうち上記実施の形態１で説明した内容に相当する部分は上記と同様の符号を振る。以下で説明する端子カバー以外の構成は実施の形態１と同じである。
【００２０】
図７に示すように、前記ガイド１０を備えることで、端子カバー２０が開口状態時、端子カバー開閉用及びファンケーシング７への取付け用の隙間があり端子カバー２０が支持軸に平行に動く場合でも端子カバー２０はガイド１０の位置よりファンケーシング固定ねじ側へ近づかないため、ライン作業におけるねじ締め作業が円滑に行える。
【００２１】
ガイド１０の形状は端子カバー２０が上記ライン作業時にねじ締め等する過程において障害とならなければよく、バネ固定部からバネをバネ収納部に導くような形状であればよい。そのため図面で示した形状のみに捉われない。
【００２２】
上記実施の形態１及び２の説明では、本発明をダクト用換気扇について述べたが、その他の送風機４や空気調和機にも利用できることは言うまでもない。
【符号の説明】
【００２３】
１  ダクト、２  埋め込み型空調機の本体、３  ボディ、４  送風機、５  化粧カバー、
６  装着装置、  ７  ファンケーシング、  ７ａ  外枠、７ｂ  風路、８  端子ボックス
９  係合受部、１０  ガイド、１１  取付部、  １２  支持部、１３  脚部、１４  端部、１５  係止部、１６  収容部、１７  収容部の入り口、１８  接続ターミナル、１９  保護枠、２０  端子カバー
【図１】
0005556744.tif 000002
【図２】
0005556744.tif 000003
【図３】
0005556744.tif 000004
【図４】
0005556744.tif 000005
【図５】
0005556744.tif 000006
【図６】
0005556744.tif 000007
【図７】
0005556744.tif 000008